(57)【特許請求の範囲】
【請求項１】
全体が、耳殻若しくは耳介と頭部との間の溝部位に沿った湾曲形状であり、外側の耳側壁と内側の頭側壁との間に台座が形成されているマスク用耳掛けにおいて、
前記台座、前記耳側壁及び前記頭側壁が形状記憶樹脂で成り、前記湾曲形状を調整して保持できるようになっており、
前記台座に設けられ、印加された圧力に応じて電力を出力する圧電部材と、
前記耳側壁又は前記頭側壁の前面或いは後面に設けられた１個若しくは複数個のＬＥＤと、
を具備し、前記台座にマスクをかけたときに前記圧電部材の出力電力に基づいて、前記１個若しくは複数個のＬＥＤが自動的に点灯することを特徴とするマスク用耳掛け。
【請求項２】
全体が、耳殻若しくは耳介と頭部との間の溝部位に沿った湾曲形状であり、外側の耳側壁と内側の頭側壁との間に台座が形成されているマスク用耳掛けにおいて、
前記台座、前記耳側壁及び前記頭側壁が形状記憶樹脂で成り、前記湾曲形状を調整して保持できるようになっており、
前記台座に設けられ、圧力が印加されたときに検知信号を出力する圧力センサと、
前記耳側壁又は前記頭側壁の前面或いは後面に設けられた１個若しくは複数個のＬＥＤと、
前記検知信号に基づき前記１個若しくは複数個のＬＥＤを点灯若しくは点滅させる制御部と、
を具備し、前記台座にマスクをかけたときに前記圧力センサは前記検知信号を出力し、前記１個若しくは複数個のＬＥＤが前記制御部により点灯若しくは点滅されるようになっていることを特徴とするマスク用耳掛け。
【請求項３】
前記１個若しくは複数個のＬＥＤの点滅の時間間隔を調整する時間調整部が更に設けられている請求項２に記載のマスク用耳掛け。
【請求項４】
全体が、耳殻若しくは耳介と頭部との間の溝部位に沿った湾曲形状であり、外側の耳側壁と内側の頭側壁との間に台座が形成されているマスク用耳掛けにおいて、
前記台座、前記耳側壁及び前記頭側壁が形状記憶樹脂で成り、前記湾曲形状を調整して保持できるようになっており、
前記台座に設けられ、圧力が印加されたときに接続するスイッチと、
前記耳側壁又は前記頭側壁の前面或いは後面に設けられた１個若しくは複数個のＬＥＤと、
前記スイッチ及び前記１個若しくは複数個のＬＥＤに接続されたバッテリと、
を具備し、前記台座にマスクをかけたときに、前記スイッチの接続により前記１個若しくは複数個のＬＥＤが点灯し、前記マスクを外したときに、前記スイッチの切断により前記１個若しくは複数個のＬＥＤが消灯するようになっていることを特徴とするマスク用耳掛け。
【請求項５】
前記バッテリが充電式バッテリであり、前記耳掛け本体の一部に設けられた充電端子により若しくは非接触式に充電されるようになっている請求項４に記載のマスク用耳掛け。
【発明の詳細な説明】
【技術分野】
【０００１】
本発明は、マスクを装着したときに発光素子を自動的に点灯若しくは点滅させ、夜間の歩行、散歩、ランニング等を安全に行い得るようにすると共に、耳に印加されるマスクのゴム紐の圧力に基づく痛さや違和感、不快感を軽減することを可能にし、心地良く簡便に耳に装着できるマスク用耳掛けに関する。
【背景技術】
【０００２】
新型コロナウイルスやインフルエンザの感染防止、花粉症対策などのため、近年マスクをかける機会が大幅に増加している。しかも、マスクは昼夜を問わず常に装着することが、公衆衛生や感染防止のために強く求められている。
【０００３】
そして、マスクは、ゴム等の弾力性あるゴム紐を人の耳（耳介若しくは耳殻と頭部との間）にかけて装着されるため、マスクを長時間かけていると、ゴム紐の弾性作用によって人体の装着部位が痛くなったり、痒くなったりして、不快感や違和感を与える。
【先行技術文献】
【特許文献】
【０００４】
【特許文献１】実開昭６３−１４８３５４号公報
【特許文献２】実用新案登録第３１７０８７３号公報
【特許文献３】特開昭５１−３１０８６号公報
【特許文献４】実用新案登録第３０６４０７３号公報
【発明の概要】
【発明が解決しようとする課題】
【０００５】
実開昭６３−１４８３５４号公報（特許文献１）には、マスクを長時間かけたときの耳の痛さを和らげる耳掛け補助具が開示されている。しかしながら、特許文献１に開示された耳掛け補助具はマスクのゴム紐に装着するものなので、使い捨てマスクの場合には製造コストが高くなり、資源の無駄を生じる問題がある。
【０００６】
また、実用新案登録第３１７０８７３号公報（特許文献２）には、マスクを長時間かけたときの耳の痛さを和らげるマスク用耳掛けが開示されているが、夜間使用時の安全対策は何ら示されていない。
【０００７】
一方、耳掛けに電源をＯＮ／ＯＦＦする手動スイッチを設け、手動スイッチによって発光素子を点灯／消灯することも考えられるが、マスクの着脱に関係なく、使用者がその都度、手動スイッチをＯＮ／ＯＦＦ操作しなければならない煩わしさがある。
【０００８】
本発明はこのような事情からなされたものであり、本発明の目的は、マスクを装着したときに、発光素子を自動的に点灯若しくは点滅させ、夜間の歩行、散歩、ランニング等を安全に行い得ると共に、耳近辺の装着部に印加されるマスクのゴム紐の圧力に基づく痛さや不快感などを軽減することが可能で、心地良く簡便に装着できるマスク用耳掛けを提供することにある。
【課題を解決するための手段】
【０００９】
本発明は、全体が、耳殻若しくは耳介と頭部との間の溝部位に沿った湾曲形状であり、外側の耳側壁と内側の頭側壁との間に台座が形成されているマスク用耳掛けに関するものであり、本発明の上記目的は、前記台座、前記耳側壁及び前記頭側壁が形状記憶樹脂で成り、前記湾曲形状を調整して保持できるようになっており、前記台座に設けられ、印加された圧力に応じて電力を出力する圧電部材と、前記耳側壁又は前記頭側壁の前面或いは後面に設けられた１個若しくは複数個のＬＥＤとを具備し、前記台座にマスクをかけたときに前記圧電部材の出力電力に基づいて、前記１個若しくは複数個のＬＥＤが自動的に点灯することにより達成される。
【００１０】
また、本発明は、全体が、耳殻若しくは耳介と頭部との間の溝部位に沿った湾曲形状であり、外側の耳側壁と内側の頭側壁との間に台座が形成されているマスク用耳掛けに関するものであり、本発明の上記目的は、前記台座、前記耳側壁及び前記頭側壁が形状記憶樹脂で成り、前記湾曲形状を調整して保持できるようになっており、前記台座に設けられ、圧力が印加されたときに検知信号を出力する圧力センサと、前記耳側壁又は前記頭側壁の前面或いは後面に設けられた１個若しくは複数個のＬＥＤと前記検知信号に基づき前記１個若しくは複数個のＬＥＤを点灯若しくは点滅させる制御部とを具備し、前記台座にマスクをかけたときに前記圧力センサは前記検知信号を出力し、前記１個若しくは複数個のＬＥＤが前記制御部により点灯若しくは点滅されるようになっていることにより、
或いは
前記台座、前記耳側壁及び前記頭側壁が形状記憶樹脂で成り、前記湾曲形状を調整して保持できるようになっており、前記台座に設けられ、圧力が印加されたときに接続するスイッチと、前記耳側壁又は前記頭側壁の前面或いは後面に設けられた１個若しくは複数個のＬＥＤと、前記スイッチ及び前記１個若しくは複数個のＬＥＤに接続されたバッテリとを具備し、前記台座にマスクをかけたときに、前記スイッチの接続により前記１個若しくは複数個のＬＥＤが点灯し、前記マスクを外したときに、前記スイッチの切断により前記１個若しくは複数個のＬＥＤが消灯するようになっていることにより達成される。
【発明の効果】
【００１１】
本発明に係るマスク用耳掛けによれば、使用者がマスクをかけたときに、マスクの装着が圧電素子や圧力センサ、或いはスイッチ（マイクロスイッチ、リミットスイッチなど）で検知され、前面若しくは後面に設けられた発光素子を自動的に点灯若しくは点滅させるので、前方若しくは後方から近付いて来る車や自転車等の運転者に目視で報知することができ、夜間の歩行、散歩、ランニング等を安全に行い得るようにすることが可能である。マスクを長時間装着しても、ゴム紐等の装着部材が直接皮膚と接触しないため、弾性作用による痛さや違和感、不快感が軽減される。
【００１２】
また、マスクをかけたときに自動的に発光素子から綺麗な光が発せられるので、ファッション的ないし宝飾的な感覚で楽しくマスク用耳掛けを使用することでき、マスク使用の頻度向上に貢献できる。
【図面の簡単な説明】
【００１３】
【図１】本発明に係るマスク用耳掛けを装着した様子を示す斜視図である。
【図２】本発明に係るマスク用耳掛け（第１実施形態）の斜視構造図である。
【図３】本発明に係るマスク用耳掛け（第１実施形態）の側面図である。
【図４】図３におけるＸ方向視野の一部平面図であり、同図（Ａ）はマスクをかけていない状態を、同図（Ｂ）はマスクをかけた状態をそれぞれ示している。
【図５】図３におけるＺ−Ｚの断面図である。
【図６】図３におけるＹ方向視野の正面図であり、同図（Ａ）は発光素子が１個の例を、同図（Ｂ）は発光素子が２個の例をそれぞれ示している。
【図７】本発明に係るマスク用耳掛け（第１実施形態）の電気的配線図であり、同図（Ａ）は発光素子が１個の例を、同図（Ｂ）は発光素子が２個の例をそれぞれ示している。
【図８】圧電部材の表面形状の他の例を示す図である。
【図９】本発明に係るマスク用耳掛け（第２実施形態）の側面図である。
【図１０】本発明に係るマスク用耳掛け（第２実施形態）の電気的配線図である。
【図１１】本発明に係るマスク用耳掛け（第３実施形態）の側面図である。
【図１２】本発明に係るマスク用耳掛け（第３実施形態）の電気的配線図である。
【図１３】本発明に係るマスク用耳掛け（第４実施形態）の電気的配線図である。
【図１４】本発明に係るマスク用耳掛け（第５実施形態）の側面図である。
【図１５】本発明に係るマスク用耳掛け（第５実施形態）の電気的配線図である。
【図１６】第５実施形態の変形例である。
【図１７】本発明に係るマスク用耳掛け（第６実施形態）の斜視構造図である。
【図１８】発光素子の前面形状の例を示す図である。
【発明を実施するための形態】
【００１４】
本発明は、新型コロナウイルス、インフルエンザなどの感染防止や花粉症対策などのためにマスクを装着したときに、ＬＥＤ（Light Emitting Diode）などの発光素子を自動的に点灯若しくは点滅させ、前方若しくは後方から近付いて来る車や自転車等の運転者に目視できるように報知し、特に夜間のマスクをかけての散歩やランニング等を安全に行い得るようにすると共に、マスク装着時に印加される、装着部材としてのゴム紐の圧力による痛さや違和感、不快感を軽減することを可能にし、心地良く簡便に耳に装着できるようにしたマスク用耳掛けである。マスクを外せば、手動スイッチなどを操作することなく、発光素子は自動的に消灯される。
【００１５】
図１は、使用者が、本発明に係るマスク用耳掛け２０を耳（耳介若しくは耳殻と頭部との間の溝部位）１に装着し、その後にマスク１０のゴム紐１１をマスク用耳掛け２０の谷部に係合させて、マスク１０を使用する様子を示している。本発明に係るマスク用耳掛け２０の本体は、耳介若しくは耳殻（こちら側を便宜的に「前方」とする）から下方の耳朶２（こちら側を便宜的に「後方」とする）に向かって湾曲した形状になっており、シリコーンゴム、ウレタン系素材、エラストマ、発泡体の軟質性素材、ナイロン、ポリウレタン、ポリエステル、フィストップ、エチレン−酢酸ビニル共重合体等の合成樹脂、不織布など、或いは形状記憶樹脂で成っている。マスク用耳掛け２０の湾曲形状は、耳介若しくは耳殻と頭部との間の溝部位に沿った形状であり、上記材料であれば心地良く耳に装着することができる。また、マスク用耳掛け２０の全体は、外から余り目立たないような肌色に塗装若しくは着色されている。
【００１６】
そして、ゴム紐１１をマスク用耳掛け２０の谷部に係合させたときに、台座の表面から、上部が少し突出して設けられている圧電部材、圧力センサ若しくはスイッチによってマスク装着が検知され、前面に設けられている発光素子としてのＬＥＤ３４−１が自動的に、連続的に点灯若しくは所定時間間隔で点滅する。ＬＥＤ３４−１の発光色は赤、青、緑など任意である。そのため、自動車や自転車等が前方から近付いて来ても、その点灯若しくは点滅の光によって運転者の視覚で報知できるので、夜間でも安全に歩行、散歩、ランニングなどが可能である。マスク１０を外せば、何の操作もすることなく、ＬＥＤ３４−１は自動的に消灯する。
【００１７】
なお、マスク用耳掛け２０は左右の両耳に装着され、左右で面対称の構造になっているので、以下では一方（例えば右耳用）のみについて説明するが、他方（例えば左耳用）についても同様である。また、本例では、マスク１０を耳に装着する装着部材をゴム紐１１としているが、ゴム材に限られるものではなく、マスク１０を装着したときにマスク用耳掛け２０に力が印加されるものであれば良い。つまり、マスク１０が使用者の顔の表面からずれ落ちることなく、顔の表面に密接する程度の弾性作用が必要である。装着部材の形状も、断面が丸形状に限られるものではなく、断面矩形、断面長形状であっても良い。
【００１８】
図２は本発明に係るマスク用耳掛け（第１実施形態）２０の斜視構造図であり、図３は側面図である。マスク用耳掛け２０の全体が、人の耳殻若しくは耳介と頭部との間の溝部位に沿った湾曲形状であり、マスク用耳掛け２０を容易にかつ違和感なく耳に装着できるようになっている。外側（頭に対して耳側を「外側」とする）の耳側壁２１と内側（耳に対して頭側を「内側」とする）の頭側壁２２との間に、マスク１０のゴム紐１１をかけて係合する谷部となる台座２３が形成されている。台座２３の湾曲部の上部位置に、圧電素子３１で成る圧電部材３０が表面から少し突出して設けられると共に、耳側壁２１の前面に発光素子としてのＬＥＤ３４−１が設けられている。圧電部材３０の上面を台座２３の表面から突出させるのは、ゴム紐１１で印加される圧力を効率良く確実に受けるようにするためである。そのため、圧電部材３０の上面の幅は、できるだけ耳側壁２１及び頭側壁２２の間に隙間なく配設できる寸法とし、マスク１０をかけたときに、常にゴム紐１１の印加圧力を受けれるようになっている。
【００１９】
図４（Ａ）は図３のＸ方向視野、つまり圧電部材３０近辺の平面図であり、圧電部材３０は台座２３の幅とほぼ同じ幅で配設されており、マスク１０のゴム紐１１がどのようにかけられても、圧電部材３０の上面にゴム紐１１が当たり、マスク１０が装着されたことを検知できるようになっている。図４（Ｂ）はマスク１０をかけた状態を示しており、ゴム紐１１が圧電部材３０の上面に係合するようになっている。これにより、圧電部材３０は、マスク１０の着脱を電気的に検知することができる。
【００２０】
図５は図４のＺ−Ｚの断面図であり、圧電部材３０は台座２３の表面より少し突出して配設されている。また、図７（Ａ）は図３におけるＹ方向視野の正面図であり、ＬＥＤ３４−１の点灯が前方より視認できるように取り付けられている。
【００２１】
また、圧電部材３０は図８（Ａ）に示すように方形状の圧電素子３１を備え、圧電素子３１の上面及び底面はそれぞれ導電体で成る上部電極３１及び下部電極３２で挟持されている。そして、上部電極３１の配線３１Ａ及び下部電極３２の配線３２ＡにＬＥＤ３４−１が接続されており、上部電極３１及び下部電極３２の間に力が印加されると、圧電素子３１で発電された電力が上部電極３１、配線３１Ａ及び下部電極３２、配線３２Ａを経てＬＥＤ３４−１に供給され、ＬＥＤ３４−１が点灯する。
【００２２】
このような構成において、マスク使用者は先ず図１に示すようにマスク用耳掛け２０を両耳に装着する。この段階では、圧電部材３０に力が印加されていないので発電素子３１は発電せず、ＬＥＤ３４−１は消灯している。マスク用耳掛け２０の台座２３、耳側壁２１及び頭側壁２２を形状記憶樹脂で作製した場合、使用者が適宜湾曲形状を自分にフィットした形状に調整でき、しかも調整後の形状を保持できるので、両耳に心地良く簡便に装着することが可能である。そして、マスク１０のゴム紐１１をマスク用耳掛け２０の谷部にかけて、マスク１０を装着すると、ゴム紐１１の弾性作用によって圧電部材３０に力が印加され、発電素子３１が発電する。これにより、発電素子３１に電気的に接続されたＬＥＤ３４−１は自動的に点灯する。圧電部材３０に基づいてＬＥＤ３４−１を点灯する場合、バッテリを要しないので、安価に製造できる利点がある。
【００２３】
上述では圧電部材３０の平面形状を方形状にしているが、圧電部材３０の平面形状を前後に伸びた長形状にし、台座２３の全域若しくは一部を覆うようにして配置し、ゴム紐１１の圧力を大きく受けるようにすれば、圧電素子３１から出力される電力を大きくすることができる。また、圧電部材３０の上部電極３１は図５に示すように平坦となっているが、中央部に印加力を集中させるように、左右、つまり内側と外側とから中央部を凹ませた図８（Ａ）に示すような湾曲平面、図８（Ｂ）に示すようなＵ字状平面としても良い。左右に対して中央部を凹ませた湾曲平面ないしＵ字状平面とすることにより、マスク１０のゴム紐１１は常に中央部に懸架されるので、より確実に印加圧力を圧電部材３０にかけることができる。また、圧電部材３０の全体を前後方向に伸びた長形状とし、更に左右に対して中央部を凹ませた湾曲平面ないしＵ字状平面とすることにより、ゴム紐１１の印加力をより集中させることができ、それによって圧電素子３１から出力される電力を一層大きくすることができる。
【００２４】
なお、ＳＮ比の高い増幅器を介挿し、圧電素子３１からの出力電力を大きくするようにしても良いが、この場合にはバッテリを内蔵する必要がある。
【００２５】
また、上述では発光素子として１個のＬＥＤ３４−１を用いているが、図６（Ｂ）に示すように２個のＬＥＤ３４−１及び３４−２を用いても良い。２個のＬＥＤ３４−１及び３４−２を用いる場合の配線は、図７（Ｂ）である。２個以上のＬＥＤを設けることも可能である。更に、上述では耳側壁２１、頭側壁２２の前面にＬＥＤを設けて、前方からの車等に対する注意を喚起するようになっているが、耳側壁２１、頭側壁２２の後面にＬＥＤを設けて、後方からの車等に対して注意を喚起するようにしても良い。
【００２６】
次に、ＯＮ／ＯＦＦ動作する手動スイッチを電気回路系に設け、マスクをかけたときにＬＥＤを自動点灯させるか、マスクをかけてもＬＥＤを消灯のままとするかを手動スイッチで切り換え、使用者が必要に応じて適宜選択できるようにした第２実施形態を説明する。
【００２７】
上述した第１実施形態の図３に対応させて示す図９は、第２実施形態に係るマスク用耳掛け２０Ａの側面構造を示しており、耳側壁２１若しくは頭側壁２２に外部からＯＮ／ＯＦＦすることが可能な手動スイッチ３５が設けられている。圧電部材３０、手動スイッチ３５及びＬＥＤ３４−１の配線関係は図１０であり、本例では配線３２Ａにスイッチ３５が設けられている。
【００２８】
このような構成において、手動スイッチ３５をＯＮにすれば、その動作は上述した第１実施形態と全く同一である。即ち、マスク１０を装着すればＬＥＤ３４−１が自動点灯し、マスク１０を外せばＬＥＤ３４−１が自動的に消灯する。そして、手動スイッチ３５をＯＦＦにした場合には、マスク１０を装着しても回路が切断されているので、ＬＥＤ３４−１は点灯しない。第２実施形態においても、ＬＥＤは１個又は２個以上の複数個とすることができ、また、前面若しくは後面に設けることも可能である。
【００２９】
第２実施形態では、マスクをかけたときのＬＥＤの点灯と消灯を使用者が自由に選択できるので、例えば昼間にマスク１０をかけるような場合において、マスクをかけてＬＥＤが点灯すると目障りになるようなときに、手動スイッチ３５をＯＦＦしておくことによって、昼間は常にＬＥＤを消灯しておくことができる利点がある。夜間にマスク１０をかけるような場合に、手動スイッチ３５をＯＮにすれば良い。
【００３０】
上述の第１実施形態（図３）及び第２実施形態（図９）では、いずれも圧電素子３１を用いた圧電部材３０により、発光素子としてのＬＥＤ３４−１（及び３４−２）を点灯及び消灯するようになっているが、印加圧力に対して電力を出力する圧電部材３０に代えて、単に印加圧力のみを検出して検知信号を出力する圧力センサを用いることもできる。以下に、圧力センサを用いた第３実施形態について説明する。
【００３１】
上述した第１実施形態及び第２実施形態に対応させて示す図１１は、第３実施形態に係るマスク用耳掛け２０Ｂの側面構造を示しており、台座２３の表面から少し突出して配設された圧力センサ４０と、台座２３内に埋設され、ＬＥＤ３４−１の点灯及び点滅を制御する制御部４４と、台座２３内に設けられて交換可能なバッテリ４５とを備えている。制御部４４には、検知信号ＤＴが入力されたときに処理し、ＬＥＤ３４−１を連続的に点灯するか、若しくは点滅するかが変更可能に設定されており、制御部４４及びバッテリ４５の配設位置は適宜変更可能である。
【００３２】
圧力センサ４０の構造、圧力センサ４０、ＬＥＤ３４−１、制御部４４及びバッテリ４５の配線関係は図１２に示すようになっている。即ち、圧力センサ４０は、マスク１０が装着され、ゴム紐１１の弾性作用に基づき印加された圧力を検出したときに検知信号ＤＴを出力する圧力検出素子４１を備え、圧力検出素子４１は上部保護板４２及び下部保護板４３で挟持され、上部保護板４２が台座２３の表面から少し突出するようになっている。上部保護板４２を突出させる理由は、ゴム紐１１がかけられたときの圧力を確実に検出するためである。圧力検出素子４１から出力される検知信号ＤＴは制御部４４に入力され、制御部４４は、検知信号ＤＴが所定値（スレッショルド）より大きくなったことを検知し、ＬＥＤ３４−１を点灯若しくは点滅させる。ＬＥＤ３４−１を点灯するか、点滅させるかは予め設定されており、いずれかを選択できる。点滅させる場合の時間間隔も予め設定されている。圧力検出素子４１は、ホイートストンブリッジセンサ、静電容量式圧力センサ、光圧力センサなど、公知の素子を利用できる。検知信号ＤＴを増幅する増幅器を、制御部４４内若しくは制御部４４の前段に設けても良い。
【００３３】
なお、本例においても、圧電部材３０の上部保護板４２を前後に伸びた長形状にし、台座２３の全域若しくは一部を覆うようにして配置し、ゴム紐１１の圧力を大きく受けるようにすれば、圧力検出素子４１の相対的感度を向上することができる。また、上部保護板４２の中央部に印加力を集中させるように、左右に対して中央部を凹ませた湾曲平面ないしＵ字状平面であっても良い（図８参照）。そして、上部保護板４２を前後方向に伸びた長形状とし、更に左右に対して中央部を凹ませた湾曲平面ないしＵ字状平面とすることにより、印加力をより集中させることができ、圧力検出素子４１の相対的感度を一層向上することができる。
【００３４】
このような構成において、マスク使用者は先ず図１に示すようにマスク用耳掛け２０Ｂを両耳に装着する。この段階では、圧力センサ４０に力が印加されていないので圧力検出素子４１は検知信号ＤＴを出力せず、ＬＥＤ３４−１は制御部４４を介して消灯している。そして、マスク１０のゴム紐１１をマスク用耳掛け２０Ｂの谷部にかけてマスク１０を装着すると、ゴム紐１１の弾性作用によって圧力検出素子４１に力が印加され、圧力検出素子４１から検知信号ＤＴが出力される。検知信号ＤＴが所定値を超えると、制御部４４はＬＥＤ３４−１を連続点灯若しくは予め設定された時間間隔で点滅させる。そして、マスク１０を外せば検知信号ＤＴが消失するので、他に何の操作をすることなく、ＬＥＤ３４−１は自動的に消灯される。
【００３５】
なお、上述ではバッテリ４５は交換可能としているが、ＵＳＢ端子などにより充電可能な充電式バッテリとすることもできる。
【００３６】
上述の第３実施形態では、制御部４４により点滅を設定した場合には、予め設定された時間間隔でＬＥＤ３４−１を点滅させるようにしているが、図１３に示すように時間調整部４６を設け、外部から点滅の時間間隔を自由に調整可能としても良い（第４実施形態）。
【００３７】
上述の実施形態では、圧電素子や圧力センサを用いて発光素子（ＬＥＤ）を点灯若しくは点滅するようになっているが、マイクロスイッチやリミットスイッチ等のスイッチを用いて発光素子を点灯／消灯するようにしても良い（第５実施形態）。
【００３８】
図１４は、第５実施形態に係るマスク用耳掛け２０Ｃを図１１に対応させて示しており、ＯＮ（接続）／ＯＦＦ（切断）接点を有するマイクロスイッチ、リミットスイッチ等のスイッチ５０の押圧部が、台座２３の表面から少し突出して設けられている。スイッチ５０の接点は通常時は切断（ＯＦＦ）されており、押圧部に力若しくは圧力が印加されると、接点は接続（ＯＮ）される。また、本体内には充電式バッテリ４５が設けられており、ＬＥＤ３４−１、スイッチ５０及びバッテリ４５の電気的接続関係は、図１５のような直列接続となっている。
【００３９】
なお、図示はしてないが、公知の手法でバッテリ４５を充電する充電端子が設けられている。
【００４０】
このような構成において、マスク１０をかけていないときは、押圧部に力が印加されないのでスイッチ５０の接点は切断されており、ＬＥＤ３４−１は消灯されている。そして、マスク１０をかけると、ゴム紐１１の弾性作用によって押圧部が押圧され、スイッチ５０の接点が接続される。これにより、ＬＥＤ３４−１が点灯する。
【００４１】
本例は、マスク１０をかけるとＬＥＤ３４−１が自動的に点灯する構成であるが、第２実施形態で説明したような手動スイッチ３５を設けることにより（図１６参照）、点灯と消灯を自由に選択することが可能となる。従って、昼間は手動スイッチ３５をＯＦＦし、夜間に手動スイッチ３５をＯＮすることにより、夜間だけに点灯させることができる。
【００４２】
本発明に係るマスク用耳掛けの材質が、シリコーンゴム、ウレタン系の素材、エラストマ、発泡体の軟質性素材、ナイロン、ポリウレタン、ポリエステル、フィストップ、エチレン−酢酸ビニル共重合体等の合成樹脂、不織布のいずれかで作製されている場合、マスク用耳掛けは、耳介若しくは耳殻から下方の耳朶に向かって湾曲した形状になっているが、人によってはその湾曲形状を調整したい場合もあり得る。このような要求に対しては図１７に示すように、形状記憶合金で成る針金材２６を台座２３内に埋設し、更に底部に数か所の長形状の切り欠き２７を設けた構造とする（第６実施形態）。
【００４３】
このような構造であれば、針金材２６は調整した湾曲形状を保持でき、切り欠き２７は湾曲の調整動作を容易にすることができる。
【００４４】
上述では第１実施形態〜第６実施形態について個々に説明したが、各実施形態の内容を組み合わせて実施することも可能である。例えば、第２実施形態で説明した手動スイッチ３５は第３実施形態〜第６実施形態にも適用できる。また、本発明に係るマスク用耳掛けをファッション的な感覚で使用するような場合、発光素子の前面を図１８（Ａ）の丸、同図（Ｂ）の方形、同図（Ｃ）の三角、同図（Ｄ）の星のような形状としても良い。更に上述では、マスク用耳掛け全体の色を目立たない肌色として説明したが、ファッション的な感覚で使用するような場合には宝飾品的な色で表面を塗装若しくは着色しても良い。
【符号の説明】
【００４５】
１                耳（耳介、耳殻）
２                耳朶
１０              マスク
１１              ゴム紐
２０、２０Ａ、２０Ｂ、２０Ｃ、２０Ｄ    マスク用耳掛け
２１              耳側壁
２２              頭側壁
２３              台座
２６              針金材
２７              切り欠き
３０              圧電部材
３１              圧電素子
３２              上部電極
３３              下部電極
３４−１、３４−２    ＬＥＤ
３５              手動スイッチ
４０              圧力センサ
４１              圧力検出素子
４２              上部保護板
４３              下部保護板
４４              制御部
４５              バッテリ
５０              スイッチ
【図１】
0006917603.tif 000002
【図２】
0006917603.tif 000003
【図３】
0006917603.tif 000004
【図４】
0006917603.tif 000005
【図５】
0006917603.tif 000006
【図６】
0006917603.tif 000007
【図７】
0006917603.tif 000008
【図８】
0006917603.tif 000009
【図９】
0006917603.tif 000010
【図１０】
0006917603.tif 000011
【図１１】
0006917603.tif 000012
【図１２】
0006917603.tif 000013
【図１３】
0006917603.tif 000014
【図１４】
0006917603.tif 000015
【図１５】
0006917603.tif 000016
【図１６】
0006917603.tif 000017
【図１７】
0006917603.tif 000018
【図１８】
0006917603.tif 000019